(57)【要約】【課題】プレビュー画像の視認性を向上させることができる表示処理装置を提供する。【解決手段】表示処理装置１は、ディスプレー２１１と、タッチセンサー２１２と、制御部１０とを備える。タッチセンサー２１２は、ディスプレー２１１に表示された第１プレビュー画像におけるタッチ位置を示す信号を出力する。制御部１０は、タッチ位置を起点として第１文字画像を探知する。制御部１０は、第１文字画像の向きが所定の向きとなる回転角度を取得する。制御部１０は、第１文字画像を起点として、複数の文字の先頭文字を示す先頭文字画像を探知する。制御部１０は、先頭文字画像がディスプレー２１１に表示される際のサイズを示す表示サイズが規定サイズとなる拡大倍率を算出する。制御部１０は、第１プレビュー画像を拡大倍率で拡大し、且つ、回転角度で回転させた第２プレビュー画像をディスプレー２１１に表示させる。【選択図】図１
2019200466.tif 000002
【特許請求の範囲】
【請求項１】
複数の文字によって構成される文字列画像の印刷結果に対応する第１プレビュー画像を表示するディスプレーと、
前記第１プレビュー画像においてユーザーがタッチしたタッチ位置を示す信号を出力するタッチセンサーと、
前記タッチ位置を示す信号を受信する制御部と
を備え、
前記制御部は、前記タッチ位置を示す信号を受信すると、第１探知処理、回転角度取得処理、第２探知処理、及び拡大倍率算出処理を実行し、
前記第１探知処理は、前記タッチ位置を起点として第１文字画像を探知する処理を示し、前記第１文字画像は、前記タッチ位置を起点として前記第１プレビュー画像を解析した際に最初に探知される文字画像を示し、
前記回転角度取得処理は、前記第１文字画像が前記ディスプレーに表示される際に、前記第１文字画像の向きが所定の向きとなる回転角度を取得する処理を示し、
前記第２探知処理は、前記第１文字画像を起点として、前記複数の文字の先頭文字を示す先頭文字画像を探知する処理を示し、
前記拡大倍率算出処理は、前記先頭文字画像が前記ディスプレーに表示される際のサイズを示す表示サイズが規定サイズとなる拡大倍率を算出する処理を示し、
前記制御部は、第２プレビュー画像を前記ディスプレーに表示させ、
前記第２プレビュー画像は、前記拡大倍率で拡大し、且つ、前記回転角度で回転させた前記第１プレビュー画像を示す、表示処理装置。
【請求項２】
前記制御部は、前記第１探知処理において、前記タッチ位置を起点として、第１解析方向に沿って前記第１プレビュー画像に含まれる画像を解析することにより、前記第１文字画像を探知し、
前記制御部は、前記第２探知処理において、前記第１文字画像を起点として、第２解析方向に沿って前記第１プレビュー画像に含まれる画像を解析することにより前記先頭文字画像を探知し、
前記第１解析方向と前記第２解析方向とは平行である、請求項１に記載の表示処理装置。
【請求項３】
前記制御部は、前記第１探知処理において、前記タッチ位置を起点として第１解析方向に沿って前記第１プレビュー画像に含まれる画像を解析することにより、前記第１文字画像を探知し、
前記制御部は、前記第２探知処理において、前記第１文字画像を起点として、第２解析方向に沿って前記第１プレビュー画像に含まれる画像を解析することにより、前記先頭文字画像を探知し、
前記第１解析方向と第２解析方向とは交差する、請求項１に記載の表示処理装置。
【請求項４】
前記第１解析方向と前記第２解析方向とは直交する、請求項３に記載の表示処理装置。
【請求項５】
前記制御部は、前記第１探知処理において、前記タッチ位置を起点として、第１解析方向に沿って前記第１プレビュー画像に含まれる画像を解析することにより、前記第１文字画像を探知し、
前記制御部は、前記第２探知処理において、前記第１文字画像を起点として、第２解析方向及び第３解析方向に沿って、前記第１プレビュー画像に含まれる画像を解析することにより、前記先頭文字画像を探知し、
前記第２解析方向と第３解析方向とは交差する、請求項１に記載の表示処理装置。
【請求項６】
前記回転角度取得処理において、前記制御部は、前記第１文字画像が規定文字画像と一致するか否かを判定することにより、前記回転角度を取得する、請求項１〜請求項５のいずれか１項に記載の表示処理装置。
【請求項７】
前記制御部は、前記第１文字画像が前記規定文字画像と一致しないと判定すると、前記第１文字画像を９０度回転させて前記規定文字画像と一致するか否かを判定することにより、前記回転角度を取得する、請求項６に記載の表示処理装置。
【請求項８】
請求項１〜請求項７のいずれか１項に記載の表示処理装置と、
前記文字列画像を示す画像データを記憶する記憶装置と、
前記画像データに基づいて画像を形成する画像形成部と
を備える、画像形成装置。
【請求項９】
複数の文字によって構成される文字列画像の印刷結果に対応する第１プレビュー画像をディスプレーに表示する第１表示ステップと、
前記第１プレビュー画像においてユーザーがタッチしたタッチ位置を示す信号を出力するタッチ位置検出ステップと、
前記タッチ位置を起点として前記第１プレビュー画像を解析した際に最初に探知される第１文字画像を探知する第１探知ステップと、
前記第１文字画像が前記ディスプレーに表示される際に、前記第１文字画像の向きが所定の向きとなるように回転させる回転角度を取得する回転角度取得ステップと、
前記第１文字画像を起点として、前記複数の文字の先頭文字を示す先頭文字画像を探知する第２探知ステップと、
前記先頭文字画像が前記ディスプレーに表示される際のサイズを示す表示サイズが規定サイズとなる拡大倍率を算出する拡大倍率算出ステップと、
前記第１プレビュー画像を前記拡大倍率で拡大し、且つ、前記回転角度で回転させた第２プレビュー画像を前記ディスプレーに表示させる第２表示ステップと
を含む、表示処理方法。
【請求項１０】
複数の文字によって構成される文字列画像の印刷結果に対応する第１プレビュー画像をディスプレーに表示する第１表示手順と、
前記第１プレビュー画像においてユーザーがタッチしたタッチ位置を示す信号を出力するタッチ位置検出手順と、
前記タッチ位置を起点として前記第１プレビュー画像を解析した際に最初に探知される第１文字画像を探知する第１探知手順と、
前記第１文字画像が前記ディスプレーに表示される際に、前記第１文字画像の向きが所定の向きとなるように回転させる回転角度を取得する回転角度取得手順と、
前記第１文字画像を起点として、前記複数の文字の先頭文字を示す先頭文字画像を探知する第２探知手順と、
前記先頭文字画像が前記ディスプレーに表示される際のサイズを示す表示サイズが規定サイズとなる拡大倍率を算出する拡大倍率算出手順と、
前記第１プレビュー画像を前記拡大倍率で拡大し、且つ、前記回転角度で回転させた第２プレビュー画像を前記ディスプレーに表示させる第２表示手順と
をコンピューターに実行させる、表示処理プログラム。
【発明の詳細な説明】
【技術分野】
【０００１】
本発明は、表示処理装置、画像形成装置、表示処理方法、及び表示処理プログラムに関する。
【背景技術】
【０００２】
特許文献１には、プレビュー画像を表示する表示処理装置が開示されている。詳しくは、特許文献１に開示の表示処理装置は、表示部と制御部とを備える。表示部は、プレビュー画像を表示する。ユーザーが表示部の表示面をタッチすると、制御部は、ユーザーがタッチしたタッチ位置に応じて拡大率を決定する。制御部は、決定した拡大率で拡大した拡大プレビュー画像を表示部に表示させる。
【先行技術文献】
【特許文献】
【０００３】
【特許文献１】特開２０１６−５３８１０号公報
【発明の概要】
【発明が解決しようとする課題】
【０００４】
しかしながら、特許文献１に開示の表示処理装置では、拡大されたプレビュー画像の向きがディスプレーの向きと一致せず、プレビュー画像の視認性が低下する可能性がある。
【０００５】
本発明は、上記課題に鑑み、プレビュー画像の視認性を向上させることができる表示処理装置を提供することを目的とする。
【課題を解決するための手段】
【０００６】
本発明に係る表示処理装置は、ディスプレーと、タッチセンサーと、制御部とを備える。前記ディスプレーは、複数の文字によって構成される文字列画像の印刷結果に対応する第１プレビュー画像を表示する。前記タッチセンサーは、前記第１プレビュー画像においてユーザーがタッチしたタッチ位置を示す信号を出力する。前記制御部は、前記タッチ位置を示す信号を受信する。前記制御部は、前記タッチ位置を示す信号を受信すると、第１探知処理、回転角度取得処理、第２探知処理、及び拡大倍率算出処理を実行する。前記第１探知処理は、前記タッチ位置を起点として第１文字画像を探知する処理を示す。前記第１文字画像は、前記タッチ位置を起点として前記第１プレビュー画像を解析した際に最初に探知される文字画像を示す。前記回転角度取得処理は、前記第１文字画像が前記ディスプレーに表示される際に、前記第１文字画像の向きが所定の向きとなる回転角度を取得する処理を示す。前記第２探知処理は、前記第１文字画像を起点として、前記複数の文字の先頭文字を示す先頭文字画像を探知する処理を示す。前記拡大倍率算出処理は、前記先頭文字画像が前記ディスプレーに表示される際のサイズを示す表示サイズが規定サイズとなる拡大倍率を算出する処理を示す。前記制御部は、第２プレビュー画像を前記ディスプレーに表示させる。前記第２プレビュー画像は、前記拡大倍率で拡大し、且つ、前記回転角度で回転させた前記第１プレビュー画像を示す。
【０００７】
本発明に係る画像形成装置は、上記の表示処理装置と、記憶装置と、画像形成部とを備える。前記記憶装置は、前記文字列画像を示す画像データを記憶する。前記画像形成部は、前記第１画像データに基づいて画像を形成する。
【０００８】
本発明に係る表示処理方法は、以下のステップを含む。複数の文字によって構成される文字列画像の印刷結果に対応する第１プレビュー画像をディスプレーに表示する第１表示ステップ。前記第１プレビュー画像においてユーザーがタッチしたタッチ位置を示す信号を出力するタッチ位置検出ステップ。前記タッチ位置を起点として前記第１プレビュー画像を解析した際に最初に探知される第１文字画像を探知する第１探知ステップ。前記第１文字画像が前記ディスプレーに表示される際に、前記第１文字画像の向きが所定の向きとなる回転角度を取得する回転角度取得ステップ。前記第１文字画像を起点として、前記複数の文字の先頭文字を示す先頭文字画像を探知する第２探知ステップ。前記先頭文字画像が前記ディスプレーに表示される際のサイズを示す表示サイズが規定サイズとなる拡大倍率を算出する拡大倍率算出ステップ。前記第１プレビュー画像を前記拡大倍率で拡大し、且つ、前記回転角度で回転させた第２プレビュー画像を前記ディスプレーに表示させる第２表示ステップ。
【０００９】
本発明に係る表示処理プログラムは、以下の手順をコンピューターに実行させる。複数の文字によって構成される文字列画像の印刷結果に対応する第１プレビュー画像をディスプレーに表示する第１表示手順。前記第１プレビュー画像においてユーザーがタッチしたタッチ位置を示す信号を出力するタッチ位置検出手順。前記タッチ位置を起点として前記第１プレビュー画像を解析した際に最初に探知される第１文字画像を探知する第１探知手順。前記第１文字画像が前記ディスプレーに表示される際に、前記第１文字画像の向きが所定の向きとなる回転角度を取得する回転角度取得手順。前記第１文字画像を起点として、前記複数の文字の先頭文字を示す先頭文字画像を探知する第２探知手順。前記先頭文字画像が前記ディスプレーに表示される際のサイズを示す表示サイズが規定サイズとなる拡大倍率を算出する拡大倍率算出手順。前記第１プレビュー画像を前記拡大倍率で拡大し、且つ、前記回転角度で回転させた第２プレビュー画像を前記ディスプレーに表示させる第２表示手順。
【発明の効果】
【００１０】
本発明によれば、プレビュー画像の視認性を向上させることができる。
【図面の簡単な説明】
【００１１】
【図１】本発明の実施形態１に係る表示処理装置の構成を示すブロック図である。
【図２】本発明の実施形態１に係るプレビュー画像表示処理を示すフローチャートである。
【図３】（ａ）及び（ｂ）は、本発明の実施形態１に係る第１プレビュー画像の一例を示す図である。
【図４】本発明の実施形態１に係る第２プレビュー画像表示処理を示すフローチャートである。
【図５】本発明の実施形態１に係る第１探知処理を示す図である。
【図６】本発明の実施形態１に係る回転角度取得処理を説明するための図である。
【図７】本発明の実施形態１に係る第２探知処理を示す図である。
【図８】（ａ）及び（ｂ）は、本発明の実施形態１に係る拡大倍率算出処理を説明するための図である。
【図９】本発明の実施形態１に係る第２プレビュー画像の一例を示す図である。
【図１０】（ａ）は、本発明の実施形態１に係る第１プレビュー画像の変形例を示す図であり、（ｂ）は、図１０（ａ）に対応する第２プレビュー画像の一例を示す図である。
【図１１】本発明の実施形態２に係る第１プレビュー画像の一例を示す図である。
【図１２】本発明の実施形態３に係る第１プレビュー画像の一例を示す図である。
【図１３】本発明の実施形態４に係る画像形成装置を示す図である。
【発明を実施するための形態】
【００１２】
以下、図面を参照して、本発明に係る表示処理装置、画像形成装置、表示処理方法、及び表示処理プログラムの実施形態について説明する。なお、図中、同一又は相当部分については同一の参照符号を付して説明を繰り返さない。
【００１３】
［実施形態１］
まず、図１を参照して、本発明の実施形態１に係る表示処理装置１の構成を説明する。図１は、実施形態１に係る表示処理装置１の構成を示すブロック図である。
【００１４】
図１に示すように、表示処理装置１は、操作部２と、記憶装置９と、制御部１０とを備える。
【００１５】
操作部２は、表示処理装置１に対するユーザーからの指示を受け付ける。操作部２は、ユーザーからの指示を受け付けると、ユーザーからの指示を示す信号を制御部１０へ送信する。
【００１６】
操作部２は、タッチディスプレー２１及びハードキー２２を有する。タッチディスプレー２１は、ディスプレー２１１及びタッチセンサー２１２を有する。
【００１７】
ディスプレー２１１は、各種画面を表示する。ディスプレー２１１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。
【００１８】
タッチセンサー２１２は、被検知体によるタッチを検知する。タッチセンサー２１２は、被検知体によるタッチを検知した位置を示す信号を出力する。出力した信号は、制御部１０に送信される。以下、被検知体によるタッチを検知した位置を「タッチ位置」と記載する。被検知体は、例えば、ユーザーの手指である。タッチセンサー２１２は、例えば、抵抗膜方式のタッチセンサー又は静電容量方式のタッチセンサーである。
【００１９】
記憶装置９は、各種データを記憶する。記憶装置９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。本実施形態において、記憶装置９は、表示処理プログラム９１、及び画像データ９２を記憶する。
【００２０】
制御部１０は、ＣＰＵ（Ｃｅｎｔｒａｌ  Ｐｒｏｃｅｓｓｉｎｇ  Ｕｎｉｔ）のようなプロセッサーによって構成される。また、制御部１０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０は、記憶装置９に記憶された表示処理プログラム９１を実行することにより、表示処理装置１の各部の動作を制御する。
【００２１】
本実施形態において、ユーザーは、操作部２を介して、記憶装置９に記憶された画像データ９２の中からプレビュー画像を表示させる画像データ９２を選択する。プレビュー画像は、プレビュー機能によってディスプレー２１１に表示される画像であって、画像データ９２の印刷結果を推定して表示される画像である。ユーザーは、プレビュー画像を表示させる画像データ９２を選択した後、選択した画像データ９２に対応するプレビュー画像を表示する旨の指示を操作部２に入力する。操作部２は、選択した画像データ９２に対応するプレビュー画像を表示する旨の指示を受け付けると、選択した画像データ９２に対応するプレビュー画像を表示する旨の指示を示す指示信号を制御部１０へ送信する。
【００２２】
制御部１０は、指示信号を受信するとプレビュー画像表示処理を実行する。詳しくは、制御部１０は、選択された画像データ９２に対応するプレビュー画像をディスプレー２１１に表示させる。以下、制御部１０が指示信号を受信してディスプレー２１１に表示させるプレビュー画像を「第１プレビュー画像」と記載する。
【００２３】
続いて、図１及び図２を参照して、実施形態１に係るプレビュー画像表示処理について説明する。図２は、実施形態１に係るプレビュー画像表示処理を示すフローチャートである。プレビュー画像表示処理は、制御部１０が指示信号を受信すると開始される。
【００２４】
図２に示すように、制御部１０は、指示信号を受信すると、選択された画像データ９２に対応する第１プレビュー画像をディスプレー２１１に表示させる（ステップＳ１０１）、次いで、制御部１０は、タッチセンサー２１２からタッチ位置を示す信号を受信するまで待機する（ステップＳ１０２：Ｎｏ）。制御部１０は、タッチセンサー２１２からタッチ位置を示す信号を受信すると（ステップＳ１０２：Ｙｅｓ）、第２プレビュー画像表示処理を実行して（ステップＳ１０３）、プレビュー画像表示処理を終了する。
【００２５】
次に、図１〜図３（ｂ）を参照して、実施形態１に係る第１プレビュー画像ＧＰ１について説明する。図３（ａ）及び図３（ｂ）は、実施形態１に係る第１プレビュー画像ＧＰ１の一例を示す図である。図３（ａ）及び図３（ｂ）に示す第１プレビュー画像ＧＰ１は、１枚のＡ４サイズのシートＳの一方の面に印刷される画像に対応する。
【００２６】
図３（ａ）及び図３（ｂ）に示すように、ディスプレー２１１は、矩形状のプレビュー画像表示領域ＡＰを有する。以下、プレビュー画像表示領域ＡＰの長手方向を左右方向とし、左右方向と直交する方向を上下方向として実施形態を説明する。
【００２７】
プレビュー画像表示領域ＡＰは、原点ＣＰを有する。原点ＣＰは、プレビュー画像表示領域ＡＰの左上隅に位置する。
【００２８】
プレビュー画像表示領域ＡＰには、第１プレビュー画像ＧＰ１が表示される。第１プレビュー画像ＧＰ１は、空白領域ＡＢ及び第１文字列画像ＧＣ１を含む。
【００２９】
空白領域ＡＢは、輝度値が閾値以下の画素が所定画素数以上連続する領域を示す。
【００３０】
第１文字列画像ＧＣ１は、文字列の画像を示す。本実施形態において、第１文字列画像ＧＣ１（文字列）は、左側から右側へ横ガキされた複数の文字によって構成される。換言すると、書字方向は、左側から右側へ向かう方向（図３中では、下側から上側へ向かう方向）である。なお、書字方向は、例えば、画像データ９２に関連付けられて記憶装置９に記憶されている。
【００３１】
図３（ａ）に示す例において、文字列は、複数の文字「ＡＢＣＡＢＣＡＢＣＤＥＦＤＥＦＤＥＦＪＫＬＪＫＬＪＫＬＭＮＯＭＮＯＭＮＯ」によって構成される。複数の文字「ＡＢＣＡＢＣＡＢＣＤＥＦＤＥＦＤＥＦＪＫＬＪＫＬＪＫＬＭＮＯＭＮＯＭＮＯ」は、複数の行で構成される。具体的には、文字列は、複数の文字「ＡＢＣＡＢＣＡＢＣ」で構成される行と、複数の文字「ＤＥＦＤＥＦＤＥＦ」で構成される行と、複数の文字「ＧＨＩＧＨＩＧＨＩ」で構成される行と、複数の文字「ＪＫＬＪＫＬＪＫＬ」で構成される行と、複数の文字「ＭＮＯＭＮＯＭＮＯ」で構成される行とによって構成される。したがって、第１文字列画像ＧＣ１を構成する文字列の先頭文字を示す先頭文字画像ＧＴＰは、「Ａ」である。
【００３２】
図３（ａ）に示す例において、第１文字列画像ＧＣ１を構成する各文字の向きは、ディスプレー２１１の向きと異なる。詳しくは、各文字は、各文字の上側がディスプレー２１１の左側となるようにディスプレー２１１に表示される。換言すると、各文字は、図中において反時計回りに９０度回転した状態でディスプレー２１１に表示される。以下、図中における時計回りへの回転を正（＋）回転とし、反時計回りへの回転を負（−）回転として実施形態を説明する。
【００３３】
図３（ａ）及び図３（ｂ）に示すように、ユーザーが空白領域ＡＢのうち、任意の位置をタッチすると、タッチセンサー２１２は、タッチ位置ＴＰを示す信号を制御部１０へ送信する。
【００３４】
制御部１０は、タッチ位置ＴＰを示す信号を受信すると（図２のステップＳ１０２：Ｙｅｓ）、第２プレビュー画像表示処理（図２のステップＳ１０３）を実行する。制御部１０は、第２プレビュー画像表示処理において、第１探知処理、回転角度取得処理、第２探知処理、及び拡大倍率算出処理を実行する。
【００３５】
続いて、図１〜図４を参照して、実施形態１に係る第２プレビュー画像表示処理について詳細に説明する。図４は、実施形態１に係る第２プレビュー画像表示処理を示すフローチャートである。
【００３６】
図４に示すように、制御部１０は、タッチ位置ＴＰを示す信号を受信すると、第１探知処理を実行する（ステップＳ２０１）。詳しくは、制御部１０は、画像解析領域を設定し、画像解析領域内の画像を解析することにより、第１文字画像ＧＴ１を探索する。第１文字画像は、第１文字列画像ＧＣ１のうち、タッチ位置ＴＰを起点として画像を解析した際に最初に探知される文字画像を示す。
【００３７】
次いで、制御部１０は、回転角度取得処理を実行する（ステップＳ２０２）。詳しくは、制御部１０は、第１文字画像が所定の向きとなるように、第１プレビュー画像ＧＰ１を回転させる回転角度を取得する。次いで、制御部１０は、第２探知処理を実行する（ステップＳ２０３）。詳しくは、制御部１０は、第１文字画像を起点として、第１プレビュー画像ＧＰ１に含まれる画像を解析することにより、先頭文字画像ＧＴＰを探知する。
【００３８】
次いで、制御部１０は、拡大倍率算出処理を実行する（ステップＳ２０４）。詳しくは、制御部１０は、先頭文字画像ＧＴＰがディスプレー２１１に表示される際の上下方向のサイズを示す表示サイズを取得する。制御部１０は、表示サイズを取得すると、表示サイズと規定サイズとに基づいて拡大倍率を算出する。なお、規定サイズは、例えば、管理者によって予め設定されている。
【００３９】
次いで、制御部１０は、第２プレビュー画像を示す画像データを生成する（ステップＳ２０５）。詳しくは、制御部１０は、第１プレビュー画像ＧＰ１を、取得した回転角度で回転し、且つ、算出した拡大倍率で拡大することにより第２プレビュー画像を示す画像データを生成する。次いで、制御部１０は、第２プレビュー画像をディスプレー２１１に表示させて（ステップＳ２０６）、第２プレビュー画像表示処理を終了する。
【００４０】
続いて、図１〜図５を参照して、実施形態１に係る第１探知処理について説明する。図５は、実施形態１に係る第１探知処理を示す図である。詳しくは、図５は、図３（ａ）を参照して説明した第１プレビュー画像ＧＰ１上での第１探知処理を示す。なお、図５では、理解を容易にするために、制御部１０が第１プレビュー画像ＧＰ１を解析する順序を２点鎖線で示し、画像解析領域ＡＲを１点鎖線で示し、第１文字画像ＧＴ１に丸印を付している。
【００４１】
図５に示すように、制御部１０は、タッチ位置ＴＰを示す信号を受信すると、画像解析領域ＡＲを設定する。本実施形態において、画像解析領域ＡＲは、タッチ位置ＴＰを起点として、右下方へ延びる線分を一方の対角線とする矩形状である。対角線は、例えば、タッチ位置ＴＰから右下４５度に延びる。
【００４２】
制御部１０は、画像解析領域ＡＲを設定すると、画像解析領域ＡＲにおける画像の解析を実行する。画像の解析は、例えば、文字認識技術を利用して実行される。
【００４３】
詳しくは、制御部１０は、画像解析領域ＡＲにおいて、第１解析方向ＳＤ１に沿った画像の解析を、繰返方向ＫＤ１へ繰り返し実行する。図５に示す例では、制御部１０は、画像解析領域ＡＲにおいて、左側から右側への画像の解析を、上側から下側へ繰り返し実行する。即ち、図５に示す例において、第１解析方向ＳＤ１は、左側から右側へ向かう方向であり、繰返方向ＫＤ１は、上側から下側へ向かう方向である。
【００４４】
制御部１０は、画像解析領域ＡＲにおいて、例えば、各画素の輝度値の変化に基づいて第１文字画像ＧＴ１を探知する。具体的には、制御部１０は、輝度値が閾値よりも小さい画素から輝度値が閾値よりも大きい画素への変化に基づいて第１文字画像ＧＴ１を探知する。本実施形態において、第１文字画像ＧＴ１は、輝度値が閾値よりも大きい画素に変化した画素によって構成される。
【００４５】
図５に示す例において、制御部１０は、第１文字列画像ＧＣ１の左上隅の文字画像「Ｃ」を第１文字画像ＧＴ１として探知する。なお、第１文字画像ＧＴ１「Ｃ」は、書字方向（図５中の上下方向）において先頭文字画像ＧＴＰ「Ａ」と対向する。詳しくは、第１文字画像ＧＴ１「Ｃ」は、書字方向において、先頭文字画像ＧＴＰとは反対側の端の文字画像を示す。
【００４６】
制御部１０は、第１文字画像ＧＴ１を探知すると、第１探知処理を終了する。制御部１０は、第１探知処理を終了すると、回転角度取得処理を実行する。
【００４７】
続いて、図６（ａ）及び図６（ｂ）を参照して、実施形態１に係る回転角度取得処理について説明する。図６（ａ）及び図６（ｂ）は、実施形態１に係る回転角度取得処理を説明するための図である。
【００４８】
回転角度取得処理において、制御部１０は、第１文字画像ＧＴ１によって示される第１文字を示すデータを取得する。第１文字を示すデータは、例えば、文字コードである。第１文字を示すデータは、例えば、文字認識技術を利用することによって取得される。
【００４９】
制御部１０は、第１文字を示すデータを取得すると、第１文字を示すデータに基づいて、記憶装置９に予め記憶された規定文字画像ＧＫを取得する。規定文字画像ＧＫは、複数の文字を示す画像の中から第１文字と一致する文字を示す。規定文字画像ＧＫの上側は、ディスプレー２１１に表示された際、ディスプレー２１１の上側と一致する。
【００５０】
制御部１０は、規定文字画像ＧＫを取得すると、第１文字画像ＧＴ１が規定文字画像ＧＫと一致するか否かを判定することにより、回転角度を取得する。第１文字画像ＧＴ１が規定文字画像ＧＫと一致するか否かの判定は、例えば、パターンマッチングによって実行される。
【００５１】
図６（ａ）に示すように、制御部１０は、第１文字画像ＧＴ１が規定文字画像ＧＫと一致すると判定すると、「０度」を回転角度として取得する。一方、図６（ｂ）に示すように、制御部１０は、第１文字画像ＧＴ１が規定文字画像ＧＫと一致しないと判定すると、第１文字画像ＧＴ１を所定の角度ずつ回転させる。所定の角度は、例えば、「＋９０度」である。なお、所定の角度は、例えば、「―９０度」であってもよい。
【００５２】
制御部１０は、所定の角度だけ回転させた第１文字画像ＧＴ１が規定文字画像ＧＫと一致するか否かを判定する。制御部１０は、所定の角度だけ回転させた第１文字画像ＧＴ１が規定文字画像ＧＫと一致しないと判定すると、所定の角度だけ更に回転させた第１文字画像ＧＴ１が規定文字画像ＧＫと一致するか否かを判定する。即ち、制御部１０は、第１文字画像ＧＴ１を所定の角度ずつ回転させて、第１文字画像ＧＴ１が規定文字画像ＧＫと一致するか否かを判定する。制御部１０は、第１文字画像ＧＴ１が規定文字画像ＧＫと一致すると判定するまで、第１文字画像ＧＴ１を所定の角度ずつ回転させる。
【００５３】
制御部１０は、第１文字画像ＧＴ１が規定文字画像ＧＫと一致すると判定するまでの間に、第１文字画像ＧＴ１を回転させた合計角度を仮回転角度として記憶装置９に記憶させる。例えば、仮回転角度は、制御部１０が第１文字画像ＧＴ１を＋９０度ずつ２回回転させた場合、「＋１８０度」である。
【００５４】
制御部１０は、仮回転角度だけ回転させた第１文字画像ＧＴ１が規定文字画像ＧＫと一致すると判定すると、仮回転角度を回転角度として取得する。図６（ｂ）に示す例において、制御部１０は、「＋９０度」を回転角度として取得する。
【００５５】
次に、図１〜図７を参照して、実施形態１に係る第２探知処理について説明する。図７は、実施形態１に係る第２探知処理を示す図である。詳しくは、図７は、図３（ａ）を参照して説明した第１プレビュー画像ＧＰ１上での第２探知処理を示す。なお、図７では、理解を容易にするために、制御部１０が第１プレビュー画像ＧＰ１を解析する順序を２点鎖線で示し、画像解析領域ＡＲを１点鎖線で示し、先頭文字画像ＧＴＰに丸印を付している。
【００５６】
図７に示すように、制御部１０は、第１文字画像ＧＴ１を探知すると、回転角度と書字方向とに基づいて、第１文字画像ＧＴ１を起点として画像を解析する方向を示す第２解析方向ＳＤ２を決定する。詳しくは、制御部１０は、回転角度と書字方向とに基づいて、第１文字画像ＧＴ１に対する先頭文字画像ＧＴＰの位置を推定することにより、第２解析方向ＳＤ２を決定する。図３（ａ）及び図６を参照して説明したように、本実施形態において、回転角度は、「＋９０度」であり、書字方向は、左側から右側へ向かう方向である。したがって、制御部１０は、第１文字画像ＧＴ１の下方向に先頭文字画像ＧＴＰがあると推定し、第２解析方向ＳＤ２を上側から下側へ向かう方向に決定する。第２解析方向ＳＤ２は、第１解析方向ＳＤ１と交差する。本実施形態において、第２解析方向ＳＤ２は、第１解析方向ＳＤ１と直交する。
【００５７】
制御部１０は、第２解析方向ＳＤ２を決定すると、画像解析領域ＡＲにおいて、第１文字画像ＧＴ１を起点として第２解析方向ＳＤ２に沿って画像を解析することにより、先頭文字画像ＧＴＰを探知する。制御部１０は、例えば、各画素の輝度値の変化に基づいて先頭文字画像ＧＴＰを探知する。具体的には、制御部１０は、輝度値が閾値よりも大きい画素から輝度値が閾値以下の画素への変化に基づいて、先頭文字画像ＧＴＰとして探知する。本実施形態において、制御部１０は、輝度値が閾値以下に変化する画素の手前に位置する画素によって構成される文字画像を先頭文字画像ＧＴＰとして探知する。
【００５８】
図７に示す例において、制御部１０は、先頭文字画像ＧＴＰとして、第１文字列画像ＧＣ１の左下隅の文字「Ａ」を探知する。
【００５９】
制御部１０は、先頭文字画像ＧＴＰを探知すると、第２探知処理を終了し、拡大倍率算出処理を実行する。
【００６０】
次に、図１〜図８（ａ）、及び図８（ｂ）を参照して、実施形態１に係る拡大倍率算出処理について説明する。図８（ａ）及び図８（ｂ）は、実施形態１に係る拡大倍率算出処理を説明するための図である。なお、図８（ａ）及び図８（ｂ）では、図７を参照して説明した文字画像「Ａ」が先頭文字画像ＧＴＰである場合を例に説明する。
【００６１】
制御部１０は、先頭文字画像ＧＴＰを探知すると、先頭文字画像ＧＴＰの表示サイズＳｈを取得する。制御部１０は、表示サイズＳｈを取得すると、表示サイズＳｈと規定サイズＲｈとに基づいて拡大倍率を算出する。規定サイズＲｈは、記憶装置９に予め記憶されている。
【００６２】
制御部１０は、図８（ａ）に示す文字画像「Ａ」の表示サイズＳｈが図８（ｂ）に示す規定サイズＲｈでディスプレー２１１に表示されるように、拡大倍率を算出する。制御部１０は、拡大倍率を算出すると、拡大倍率算出処理を終了する。
【００６３】
制御部１０は、拡大倍率算出処理を終了すると、第２プレビュー画像ＧＰ２の画像データを生成する。第２プレビュー画像ＧＰ２は、第１プレビュー画像ＧＰ１を、拡大倍率で拡大し、且つ、回転角度で回転させたプレビュー画像を示す。
【００６４】
次に、図９を参照して、実施形態１に係る第２プレビュー画像ＧＰ２について説明する。図９は、実施形態１に係る第２プレビュー画像ＧＰ２の一例を示す図である。詳しくは、図９は、図３（ｂ）に示すタッチ位置ＴＰをタッチした際にディスプレー２１１に表示される第２プレビュー画像ＧＰ２を示す。なお、図９では、理解を容易にするために、表示領域ＡＤを１点鎖線で示している。
【００６５】
図９に示すように、制御部１０は、第２プレビュー画像ＧＰ２の画像データを生成する際に、表示領域ＡＤを設定する。本実施形態において、表示領域ＡＤは、先頭文字画像ＧＴＰが含まれるように設定される。詳しくは、表示領域ＡＤは、先頭文字画像ＧＴＰがプレビュー画像表示領域ＡＰの原点ＣＰの近傍に表示されるように設定される。具体的には、表示領域ＡＤは、先頭文字画像ＧＴＰを囲む矩形ＴＡの左上隅の位置がプレビュー画像表示領域ＡＰの原点ＣＰの位置と一致するように設定される。制御部１０は、例えば、矩形ＴＡのうち、プレビュー画像表示領域ＡＰの原点ＣＰに最も近い位置がプレビュー画像表示領域ＡＰの原点ＣＰの位置と一致するように表示領域ＡＤを設定する。
【００６６】
第２プレビュー画像ＧＰ２は、表示領域ＡＤによって設定された領域に囲まれる画像を含む。詳しくは、第２プレビュー画像ＧＰ２は、第２文字列画像ＧＣ２を含む。第２文字列画像ＧＣ２は、算出された拡大倍率で拡大し、且つ、取得した回転角度（＋９０度）で回転した第１文字列画像ＧＣ１（図３（ａ）参照）の一部を示す。
【００６７】
以上、実施形態１について説明した。本実施形態によれば、制御部１０は、第１文字画像ＧＴ１を探知し、第１文字画像ＧＴ１に基づいて回転角度を取得する。回転角度は、第１文字画像ＧＴ１の向きがディスプレー２１１の向きと一致するように第１プレビュー画像ＧＰ１を回転させる角度を示す。制御部１０は、取得した回転角度で、第１プレビュー画像ＧＰ１を回転させた第２プレビュー画像ＧＰ２をディスプレー２１１に表示させる。したがって、第１プレビュー画像ＧＰ１の向きがディスプレー２１１の向きと一致していない場合であっても、各文字画像の向きがディスプレー２１１の向きと一致してディスプレー２１１に表示される。したがって、ユーザーによるプレビュー画像の視認性を向上させることができる。
【００６８】
また、本実施形態によれば、制御部１０は、回転角度を取得すると、回転角度と書字方向とに基づいて、第２解析方向ＳＤ２を決定する。したがって、本実施形態によれば、第１プレビュー画像ＧＰ１の向きがディスプレー２１１の向きと一致していない場合であっても、先頭文字画像ＧＴＰが探知される。
【００６９】
また、例えば、第１文字列画像ＧＣ１に含まれる文字のうち、先頭文字画像ＧＴＰの近傍以外の文字画像がディスプレー２１１に表示されると、ユーザーは、選択した画像データ９２が所望の画像データ９２であるか否かを認識しづらい。本実施形態によれば、制御部１０は、第１プレビュー画像ＧＰ１の向きがディスプレー２１１の向きと一致していない場合であっても、先頭文字画像ＧＴＰを探知し、先頭文字画像ＧＴＰの近傍が含まれるように表示領域ＡＤを設定する。制御部１０は、設定した表示領域ＡＤに囲まれる画像を含む第２プレビュー画像ＧＰ２をディスプレー２１１に表示させる。したがって、ユーザーによるプレビュー画像の視認性が向上する。
【００７０】
また、本実施形態によれば、第２プレビュー画像ＧＰ２は、先頭文字画像ＧＴＰを囲む矩形ＴＡの左上隅の位置がプレビュー画像表示領域ＡＰの原点ＣＰの位置と一致する。よって、ユーザーによるプレビュー画像の視認性が更に向上する。
【００７１】
なお、本実施形態において、複数の文字画像の各々の表示サイズＳｈが等しい場合を例に説明したが、複数の文字画像の各々の表示サイズＳｈは異なってもよい。図１０（ａ）は、実施形態１に係る第１プレビュー画像ＧＰ１の変形例を示す図である。図１０（ｂ）は、図１０（ａ）に示す第１プレビュー画像ＧＰ１に対応する第２プレビュー画像ＧＰ２の一例を示す図である。
【００７２】
例えば、図１０（ａ）に示すように、第１プレビュー画像ＧＰ１において、先頭文字画像ＧＴＰの表示サイズＳｈが他の文字画像の表示サイズＳｈよりも大きい場合、図１０（ｂ）に示すように、第２プレビュー画像ＧＰ２において、先頭文字画像ＧＴＰの表示サイズＳｈは、他の文字画像の表示サイズＳｈよりも大きく表示される。
【００７３】
［実施形態２］
続いて、図１、図２、図９、及び図１１を参照して、実施形態２に係る表示処理装置１について説明する。実施形態２は、第１文字列画像ＧＣ１を構成する各文字の向きが実施形態１と異なる。以下、実施形態２について実施形態１と異なる事項について説明し、実施形態１と重複する部分についての説明は割愛する。
【００７４】
図１１は、実施形態２に係る第１プレビュー画像ＧＰ１の一例を示す図である。
【００７５】
図１１に示すように、プレビュー画像表示領域ＡＰには、第１プレビュー画像ＧＰ１が表示される。第１プレビュー画像ＧＰ１は、第１文字列画像ＧＣ１を含む。
【００７６】
第１文字列画像ＧＣ１を構成する各文字の向きは、ディスプレー２１１の向きと異なる。詳しくは、各文字は、各文字の上側がディスプレー２１１の右側となるようにディスプレー２１１に表示される。換言すると、各文字は、図中において＋９０度回転した状態でディスプレー２１１に表示される。
【００７７】
ユーザーが空白領域ＡＢのうちの任意の位置をタッチすると、タッチセンサー２１２は、タッチ位置ＴＰを示す信号を制御部１０へ送信する。
【００７８】
制御部１０は、タッチ位置ＴＰを示す信号を受信すると、実施形態１と同様に、第１探知処理を実行する。詳しくは、制御部１０は、画像解析領域ＡＲを設定し、画像解析領域ＡＲにおいて、第１プレビュー画像ＧＰ１に含まれる画像の解析を実行する。より詳しくは、制御部１０は、画像解析領域ＡＲにおいて、第１解析方向ＳＤ１に沿った画像の解析を、繰返方向ＫＤ１へ繰り返し実行する。図１１に示す例では、制御部１０は、画像解析領域ＡＲにおいて、左側から右側への画像の解析を、上側から下側へ繰り返し実行する。即ち、図１１に示す例において、第１解析方向ＳＤ１は、左側から右側へ向かう方向であり、繰返方向ＫＤ１は、上側から下側へ向かう方向である。
【００７９】
本実施形態において、制御部１０は、第１文字列画像ＧＣ１の左上の文字画像「Ｙ」を第１文字画像ＧＴ１として探知する。制御部１０は、第１文字画像ＧＴ１を探知すると、第１探知処理を終了して、回転角度取得処理を実行する。
【００８０】
本実施形態において、各文字は、図中において＋９０度回転した状態でディスプレー２１１に表示されている。したがって、制御部１０は、回転角度取得処理を実行することにより、「−９０度」を回転角度として取得する。
【００８１】
制御部１０は、回転角度を取得すると、回転角度取得処理を終了し、第２探知処理を実行する。
【００８２】
第２探知処理では、制御部１０は、回転角度と書字方向とに基づいて、第２解析方向ＳＤ２を決定する。本実施形態において、第２解析方向ＳＤ２は、左側から右側へ向かう方向である。換言すると、本実施形態において、第２解析方向ＳＤ２は、第１解析方向ＳＤ１と平行である。
【００８３】
制御部１０は、第１文字画像ＧＴ１を起点として、第２解析方向ＳＤ２に沿って画像解析領域ＡＲの画像を解析することにより、先頭文字画像ＧＴＰを探知する。
【００８４】
本実施形態において、制御部１０は、右上隅の文字「Ａ」を先頭文字画像ＧＴＰとして探知する。制御部１０は、先頭文字画像ＧＴＰを探知すると、第２探知処理を終了し、実施形態１と同様に拡大倍率算出処理を実行する。
【００８５】
制御部１０は、拡大倍率算出処理を終了すると、第２プレビュー画像ＧＰ２の画像データを生成し、図９に示すように第２プレビュー画像ＧＰ２をディスプレー２１１に表示させる。第２プレビュー画像ＧＰ２は、第１プレビュー画像ＧＰ１を、拡大倍率で拡大し、且つ、回転角度で回転させたプレビュー画像を示す。
【００８６】
以上、実施形態２について説明した。本実施形態によれば、先頭文字画像ＧＴＰ近傍の文字画像が拡大され、且つ、ディスプレー２１１の向きと一致するように第２プレビュー画像ＧＰ２が表示される。よって、ユーザーによるプレビュー画像の視認性を向上させることができる。
【００８７】
［実施形態３］
続いて、図１、図２、図９、及び図１２を参照して、実施形態３に係る表示処理装置１について説明する。実施形態３は、第１文字列画像ＧＣ１を構成する各文字の向きが実施形態１及び実施形態２と異なる。以下、実施形態３について実施形態１及び実施形態２と異なる事項について説明し、実施形態１及び実施形態２と重複する部分についての説明は割愛する。
【００８８】
図１２は、実施形態３に係る第１プレビュー画像ＧＰ１の一例を示す図である。
【００８９】
図１２に示すように、プレビュー画像表示領域ＡＰには、第１プレビュー画像ＧＰ１が表示される。第１プレビュー画像ＧＰ１は、第１文字列画像ＧＣ１を含む。
【００９０】
第１文字列画像ＧＣ１を構成する各文字の向きは、ディスプレー２１１の向きと異なる。詳しくは、各文字は、各文字の上側がディスプレー２１１の下側となるようにディスプレー２１１に表示される。換言すると、各文字は、図中において＋１８０（−１８０）度回転した状態でディスプレー２１１に表示される。
【００９１】
ユーザーが空白領域ＡＢのうちの任意の位置をタッチすると、タッチセンサー２１２は、タッチ位置ＴＰを示す信号を制御部１０へ送信する。
【００９２】
制御部１０は、タッチ位置ＴＰを示す信号を受信すると、実施形態１と同様に、第１探知処理を実行する。詳しくは、制御部１０は、画像解析領域ＡＲを設定し、画像解析領域ＡＲにおいて、第１プレビュー画像ＧＰ１に含まれる画像の解析を実行する。より詳しくは、制御部１０は、画像解析領域ＡＲにおいて、第１解析方向ＳＤ１に沿った画像の解析を、繰返方向ＫＤ１へ繰り返し実行する。図１２に示す例では、制御部１０は、画像解析領域ＡＲにおいて、左側から右側への画像の解析を、上側から下側へ繰り返し実行する。即ち、図１２に示す例において、第１解析方向ＳＤ１は、左側から右側へ向かう方向であり、繰返方向ＫＤ１は、上側から下側へ向かう方向である。
【００９３】
本実施形態において、制御部１０は、第１文字列画像ＧＣ１の第１文字列画像ＧＣ１の左上の文字画像「Ｘ」を第１文字列画像ＧＣ１として探知する。制御部１０は、第１文字列画像ＧＣ１を探知すると、第１探知処理を終了して、回転角度取得処理を実行する。
【００９４】
本実施形態において、各文字は、図中において＋１８０（−１８０）度回転した状態でディスプレー２１１に表示されている。したがって、制御部１０は、回転角度取得処理を実行することにより、「−１８０度（＋１８０度）」を回転角度として取得する。
【００９５】
制御部１０は、回転角度を取得すると、回転角度取得処理を終了し、第２探知処理を実行する。
【００９６】
第２探知処理では、制御部１０は、回転角度と書字方向とに基づいて、第２解析方向ＳＤ２及び第３解析方向ＳＤ３を決定する。第２解析方向ＳＤ２は、第１文字画像ＧＴ１を起点として画像を解析する方向を示し、第３解析方向ＳＤ３は、第２文字画像ＧＴ２を起点として画像を解析する方向を示す。本実施形態において、第２解析方向ＳＤ２は、左側から右側へ向かう方向であり、第３解析方向ＳＤ３は、上側から下側に向かう方向である。換言すると、第２解析方向ＳＤ２は、第１解析方向ＳＤ１と平行である。第３解析方向ＳＤ３は、第１解析方向ＳＤ１及び第２解析方向ＳＤ２と交差する。本実施形態において、第３解析方向ＳＤ３は、第１解析方向ＳＤ１及び第２解析方向ＳＤ２と直交する。
【００９７】
制御部１０は、第１文字画像ＧＴ１を起点として、第２解析方向ＳＤ２に沿って画像解析領域ＡＲの画像を解析することにより第２文字画像ＧＴ２を探知する。第２文字画像ＧＴ２は、第２解析方向ＳＤ２において、第１文字画像ＧＴ１と対向する文字画像を示す。詳しくは、第２文字画像ＧＴ２は、第１文字画像ＧＴ１とは反対側の端の文字画像を示す。
【００９８】
本実施形態において、制御部１０、第１文字列画像ＧＣ１の右上の文字画像「Ｓ」を第２文字画像ＧＴ２として探知する。
【００９９】
制御部１０は、第２文字画像ＧＴ２を探知すると、第２文字画像ＧＴ２を起点として第３解析方向ＳＤ３に沿って画像解析領域ＡＲの画像を解析することにより、先頭文字画像ＧＴＰを探知する。
【０１００】
本実施形態において、先頭文字画像ＧＴＰは、第２文字画像ＧＴ２と第３解析方向ＳＤ３において対向する。したがって、制御部１０は、第１文字列画像ＧＣ１の右下の文字画像「Ａ」を先頭文字画像ＧＴＰとして探知する。
【０１０１】
制御部１０は、先頭文字画像ＧＴＰを探知すると、第２探知処理を終了し、実施形態１と同様に拡大倍率算出処理を実行する。
【０１０２】
制御部１０は、拡大倍率算出処理を終了すると、第２プレビュー画像ＧＰ２の画像データを生成し、図９に示すように第２プレビュー画像ＧＰ２をディスプレー２１１に表示させる。第２プレビュー画像ＧＰ２は、第１プレビュー画像ＧＰ１を、拡大倍率で拡大し、且つ、回転角度で回転させたプレビュー画像を示す。
【０１０３】
以上、実施形態３について説明した。本実施形態によれば、先頭文字画像ＧＴＰ近傍の文字画像が拡大され、且つ、ディスプレー２１１の向きと一致するように第２プレビュー画像ＧＰ２が表示される。よって、ユーザーによるプレビュー画像の視認性を向上させることができる。
【０１０４】
［実施形態４］
続いて、図１３を参照して、実施形態４に係る表示処理装置１について説明する。実施形態４では、表示処理装置１が画像形成装置１００に備えられる点が実施形態１〜実施形態３と異なる。以下、実施形態４について実施形態１〜実施形態３と異なる事項について説明し、実施形態１〜実施形態３と重複する部分についての説明は割愛する。
【０１０５】
図１３は、実施形態４に係る画像形成装置１００を示す図である。図１３に示すように、画像形成装置１００は、筐体１０１、操作部１０２、原稿搬送装置１０３、原稿読取装置１０４、給紙部１０５、シート搬送部１０６、印刷部１０７、排出部１０８、排出トレイ１００ｔ、記憶装置１０９、及び制御部１１０を備える。なお、操作部１０２は、表示処理装置１の操作部２を兼ねる。記憶装置１０９は、表示処理装置１の記憶装置９を兼ねる。制御部１１０は、表示処理装置１の制御部１０を兼ねる。
【０１０６】
操作部１０２は、画像形成装置１００に対するユーザーからの指示を受け付ける。操作部１０２は、ユーザーからの指示を受け付けると、ユーザーからの指示を示す信号を出力する。
【０１０７】
原稿搬送装置１０３は、原稿Ｄを搬送する。原稿搬送装置１０３は、原稿載置トレイ、原稿搬送部、及び原稿排出トレイを備える。原稿搬送部は、原稿載置トレイに載置された原稿Ｄを１枚ずつ原稿排出トレイまで読取位置Ｒを経由するように搬送する。読取位置Ｒは、原稿読取装置１０４が原稿Ｄの画像を読み取ることが可能な位置である。
【０１０８】
原稿読取装置１０４は、原稿Ｄの画像を読み取り、原稿Ｄの画像を示すデータを生成する。原稿読取装置１０４は、コンタクトガラス４１、及び読取機構４２を備える。コンタクトガラス４１には、原稿Ｄが載置される。読取機構４２は、コンタクトガラス４１に載置された原稿Ｄの画像又は読取位置Ｒを通過する原稿Ｄの画像を読み取って原稿Ｄの画像を示す画像データを生成する。
【０１０９】
給紙部１０５は、複数のシートＳを収容し、収容された複数のシートＳを一枚ずつ給紙する。シート搬送部１０６は、給紙されたシートＳを排出部１０８まで搬送する。シートＳは、例えば、用紙である。
【０１１０】
シート搬送部１０６は、ローラー及びガイド部材を備える。シート搬送部１０６は、給紙部１０５から排出部１０８までシートＳを搬送する。シートＳは、印刷部１０７を経由するように搬送される。
【０１１１】
印刷部１０７は、シートＳに画像を形成する。本実施形態において、印刷部１０７は、露光装置７１、帯電装置７２、現像装置７３、感光体ドラム７４、転写装置７５、及び定着装置７６を備え、電子写真方式によって画像を形成する。露光装置７１は、画像データに基づいて、感光体ドラム７４に静電潜像を形成する。帯電装置７２は、感光体ドラム７４を所定の電位に均一に帯電させる。現像装置７３は、感光体ドラム７４にトナーを供給し、感光体ドラム７４上に形成された静電潜像を現像する。定着装置７６は、シートＳに転写されたトナー像をシートＳに定着する。
【０１１２】
排出部１０８は、画像が形成されたシートＳを排出トレイ１００ｔへ排出する。排出トレイ１００ｔは、筐体１０１の外部に設けられる。
【０１１３】
以上、実施形態４について説明した。一般的に、画像形成装置１００が備えるディスプレー２１１は、サイズが小さい。この場合、ユーザーは、画像形成装置１００が備えるディスプレー２１１に表示されたプレビュー画像が所望の画像データ９２に対応するか否かを認識しづらい。本実施形態によれば、ユーザーは、任意の位置をタッチすると、第１プレビュー画像ＧＰ１が拡大倍率で拡大され、且つ、回転角度で回転された第２プレビュー画像ＧＰ２がディスプレー２１１に表示される。よって、ユーザーによるプレビュー画像の視認性を向上させることができる。
【０１１４】
なお、本実施形態において、表示処理装置１が電子写真方式の画像形成装置１００に設けられる構成を例に説明したが、表示処理装置１は、例えば、インクジェット方式の画像形成装置１００に設けられ得る。
【０１１５】
以上、本発明の実施形態について、図面（図１〜図１３）を参照しながら説明した。但し、本発明は、上記の実施形態に限られるものではなく、その要旨を逸脱しない範囲で種々の態様において実施することが可能である。また、上記の実施形態で示す構成、及び形状は、一例であって特に限定されるものではなく、本発明の効果から実質的に逸脱しない範囲で種々の変更が可能である。
【産業上の利用可能性】
【０１１６】
本発明は、例えば、表示処理装置の分野に有用である。また、表示処理装置は、例えば、画像形成装置の分野に有用である。
【符号の説明】
【０１１７】
１                表示処理装置
２                操作部
１０              制御部
１００            画像形成装置
２２１            ディスプレー
２２２            タッチセンサー
【図１】
2019200466.tif 000003
【図２】
2019200466.tif 000004
【図３】
2019200466.tif 000005
【図４】
2019200466.tif 000006
【図５】
2019200466.tif 000007
【図６】
2019200466.tif 000008
【図７】
2019200466.tif 000009
【図８】
2019200466.tif 000010
【図９】
2019200466.tif 000011
【図１０】
2019200466.tif 000012
【図１１】
2019200466.tif 000013
【図１２】
2019200466.tif 000014
【図１３】
2019200466.tif 000015